(57)【要約】      （修正有）【課題】  非接触ＩＣカードを利用したサービスを提供するシステムにおいて、どこからでも当該サービスを利用できる電子マネー決済システムを提供する。【解決手段】  電子マネー決済システムは、携帯電話と、各種サービスに利用可能な非接触ＩＣチップとから構成される電子マネー決済システムであって、携帯電話は、非接触ＩＣチップと通信を行う携帯電話通信部と、当該携帯電話により利用可能なサービスを利用した場合に、当該サービスに支払われるべき対価情報を検出し、その検出した対価情報に基づいて実施する仮課金指示を、携帯電話通信部に送信させる携帯電話制御部とを備え、非接触ＩＣチップは、携帯電話と通信を行うＩＣ通信部と、仮課金に用いた電子バリューを記憶する仮課金バリュー記憶部と、ＩＣ通信部により仮課金指示を受信した場合、仮課金指示に含まれる対価情報を反映した電子バリューを仮課金バリュー記憶部に記憶させるＩＣ制御部とを備える。【選択図】  図１
2006260196.tif 000002
【特許請求の範囲】
【請求項１】
携帯通信端末と、前記携帯通信端末に搭載された、各種サービスに利用可能なＩＣチップと、から構成される電子マネー決済システムであって、
前記携帯通信端末は、
前記ＩＣチップと通信を行う第１携帯通信端末通信手段と、
当該携帯通信端末により利用可能なサービスを利用した場合に、当該サービスに支払われるべき対価に関する情報である対価情報を、検出する携帯通信端末検出手段と、
前記携帯通信端末検出手段により検出した対価情報に基づいて仮課金するよう指示する仮課金指示を、前記第１携帯通信端末通信手段に送信させる携帯通信端末制御手段と、を備え、
前記ＩＣチップは、
前記携帯通信端末と通信を行う第１のＩＣチップ通信手段と、
仮課金に用いた電子バリューを記憶する仮課金電子バリュー情報記憶手段と、
前記第１のＩＣチップ通信手段により前記仮課金指示を受信した場合、前記仮課金指示に含まれる対価情報を反映した電子バリューを前記仮課金電子バリュー情報記憶手段に記憶させるＩＣチップ制御手段と、を備える、
電子マネー決済システム。
【請求項２】
電子バリューを仮課金可能なＩＣチップを搭載した携帯通信端末であって、
前記ＩＣチップと通信を行う第１携帯通信端末通信手段と、
当該携帯通信端末により利用可能なサービスを利用した場合に、当該サービスに支払われるべき対価に関する情報である対価情報を、検出する携帯通信端末検出手段と、
前記携帯通信端末検出手段により検出した対価情報に基づいて仮課金するよう指示する仮課金指示を、前記第１携帯通信端末通信手段に送信させる携帯通信端末制御手段と、
を備える携帯通信端末。
【請求項３】
請求項２に記載の携帯通信端末であって、
前記携帯通信端末により利用可能なサービスは、少なくとも、コンテンツサービスを含むものである携帯通信端末。
【請求項４】
請求項２または３に記載の携帯通信端末であって、
電子バリューの本決済を行う決済サーバと、通信を行う第２携帯通信端末通信手段を備え、
前記第１携帯通信端末通信手段は、前記仮課金指示に含まれる対価情報が反映された電子バリューに関する電子バリュー情報を、前記ＩＣチップから受信し、
前記第２携帯通信端末通信手段は、前記第１携帯通信端末通信手段により受信した電子バリュー情報に基づいて本決済するよう指示する本決済指示を、前記決済サーバに送信する携帯通信端末。
【請求項５】
携帯通信端末に搭載されたＩＣチップであって、
前記携帯通信端末と通信を行う第１のＩＣチップ通信手段と、
仮課金に用いた電子バリューを記憶する仮課金電子バリュー情報記憶手段と、
前記第１のＩＣチップ通信手段により仮課金するよう指示する仮課金指示を受信した場合、前記仮課金指示に含まれる対価情報を反映した電子バリューを仮課金電子バリュー情報記憶手段に記憶させるＩＣチップ制御手段と、
を備えるＩＣチップ。
【請求項６】
請求項５記載のＩＣチップであって、
前記第１のＩＣチップ通信手段は、前記仮課金電子バリュー情報記憶手段に記憶した電子バリューに関する電子バリュー情報を、電子バリューの本決済を行う決済サーバに接続された携帯通信端末に送信するＩＣチップ。
【請求項７】
請求項４記載のＩＣチップであって、
電子バリューの本決済を行う決済サーバに接続された、当該ＩＣチップに記憶したデータを読み取るＩＣチップ用リーダと、通信を行う第２のＩＣチップ通信手段を備え、
前記第２のＩＣチップ通信手段は、前記仮課金電子バリュー情報記憶手段に記憶した電子バリューに基づいて本決済するよう指示する本決済指示を、前記ＩＣチップ用リーダに送信するＩＣチップ。
【請求項８】
請求項４の携帯通信端末と、請求項６のＩＣチップと、から構成される電子マネー決済システム。
【請求項９】
請求項２または３の携帯通信端末と、請求項７のＩＣチップと、から構成される電子マネー決済システム。
【発明の詳細な説明】
【技術分野】
【０００１】
本発明は、電子マネーの仮課金を行うことができる電子マネー決済システム、そのシステムに用いる携帯通信端末、および、そのシステムに用いる非接触ＩＣカードに関するものである。
【背景技術】
【０００２】
近年、非接触ＩＣカード（非接触ＩＣチップも含む）を利用した、様々なサービスが提供されている。例えば、店舗や自動販売機における料金の精算、鉄道やバスなどの交通手段における乗車運賃の精算、または、各種会場における入場者の入退場の管理、などが挙げられる。このような非接触ＩＣカードを利用したサービスを提供するシステムにおいて、非接触ＩＣカードが情報として保持している、電子マネーや各種サービスで利用可能なポイントなどの電子バリューは、非接触ＩＣカードが保持する情報を読み込むための、ＰＯＳ（Point of survice）や駅構内の改札などのリーダ／ライタによって読み出し、書き込みがなされ、サービスに応じた電子バリューの増減、すなわち精算、がなされるようになっている。
【０００３】
しかしながら、上記の非接触ＩＣカードを利用したサービスを提供するシステムにおいて、リーダ／ライタは、サービス利用毎に、電子バリューの精算を行うことが可能な非接触ＩＣカードを判定する決済サーバと通信を行わなければならなず、サービス利用時のデータ処理のさらなる効率化が求められていた。
【０００４】
このため、非接触ＩＣカードを利用したサービスを提供するシステムにおいて、サービス利用毎に決済サーバと通信を行わないようにするために、特許文献１のシステムが提案されている。
【０００５】
特許文献１の非接触ＩＣカードを用いたサービス提供システムは、当該非接触ＩＣカードにより利用可能なサービスを利用する際、上記の決済サーバと通信状態にないリーダ／ライタにより非接触ＩＣカードが保持する情報を読み出し、書き込みを行うときには、非接触ＩＣカードが保持する電子バリューを仮想的に決済し（以後、非接触ＩＣカードが保持する電子バリューを仮想的に決済することを「仮課金」と称する）、上記の決済サーバと通信状態にあるリーダ／ライタにより非接触ＩＣカードが保持する情報の読み出し、書き込みを行うときには、仮課金された電子バリューを実際に決済（以後、非接触ＩＣカードが保持する電子バリューを実際に決済することを「本決済」と称する）して、その本決済した情報を決済サーバに送信するようにしたシステムである。
【０００６】
特許文献１のシステムにより、リーダ／ライタは、サービス利用毎に、決済サーバと通信を行う必要がなくなり、サービス利用時のデータ処理をさらに効率化することができる。
【０００７】
【特許文献１】特開２０００−２５０９９４号公報
【発明の開示】
【発明が解決しようとする課題】
【０００８】
しかしながら、特許文献１のような従来のシステムによりサービスを提供することができる場所はリーダ／ライタが存在する場所に限定され、このサービスを効果的に利用者に提供するためには、様々な場所にリーダ／ライタを配設する必要がある。このことは、サービス提供者に対して、経済的な負担を強いることになる。さらに、サービス利用者は、リーダ／ライタが様々な場所に配設されたとしても、リーダ／ライタを探す、リーダ／ライタが存在する場所まで行く、といった行為を行わなければならず、手間をかけさせられることになる。
【０００９】
本発明は、上記事情に鑑みてなされたもので、非接触ＩＣカードを利用したサービスを提供するシステムにおいて、当該サービスを利用することができる場所がリーダ／ライタが存在する場所に限定されることなく、サービス利用者の任意の位置において当該サービスを利用することができる電子マネー決済システム、そのシステムに用いる携帯通信端末、および、そのシステムに用いる非接触ＩＣカードを提供することを目的とする。
【課題を解決するための手段】
【００１０】
本発明の電子マネー決済システムは、携帯通信端末と、前記携帯通信端末に搭載された、各種サービスに利用可能なＩＣチップと、から構成される電子マネー決済システムであって、前記携帯通信端末が、前記ＩＣチップと通信を行う第１携帯通信端末通信手段と、当該携帯通信端末により利用可能なサービスを利用した場合に、当該サービスに支払われるべき対価に関する情報である対価情報を、検出する携帯通信端末検出手段と、前記携帯通信端末検出手段により検出した対価情報に基づいて仮課金するよう指示する仮課金指示を、前記第１携帯通信端末通信手段に送信させる携帯通信端末制御手段と、を備え、前記ＩＣチップが、前記携帯通信端末と通信を行う第１のＩＣチップ通信手段と、仮課金に用いた電子バリューを記憶する仮課金電子バリュー情報記憶手段と、前記第１のＩＣチップ通信手段により前記仮課金指示を受信した場合、前記仮課金指示に含まれる対価情報を反映した電子バリューを前記仮課金電子バリュー情報記憶手段に記憶させるＩＣチップ制御手段と、を備える、ものである。
【００１１】
本発明の携帯通信端末は、電子バリューを仮課金可能なＩＣチップを搭載した携帯通信端末であって、前記ＩＣチップと通信を行う第１携帯通信端末通信手段と、当該携帯通信端末により利用可能なサービスを利用した場合に、当該サービスに支払われるべき対価に関する情報である対価情報を、検出する携帯通信端末検出手段と、前記携帯通信端末検出手段により検出した対価情報に基づいて仮課金するよう指示する仮課金指示を、前記第１携帯通信端末通信手段に送信させる携帯通信端末制御手段と、を備えるものである。
【００１２】
本発明のＩＣチップは、携帯通信端末に搭載されたＩＣチップであって、前記携帯通信端末と通信を行う第１のＩＣチップ通信手段と、仮課金に用いた電子バリューを記憶する仮課金電子バリュー情報記憶手段と、前記第１のＩＣチップ通信手段により仮課金するよう指示する仮課金指示を受信した場合、前記仮課金指示に含まれる対価情報を反映した電子バリューを仮課金電子バリュー情報記憶手段に記憶させるＩＣチップ制御手段と、を備えるものである。
【００１３】
この構成により、非接触ＩＣカードを利用したサービスを提供するシステムにおいて、当該サービスを利用することができる場所がリーダ／ライタが存在する場所に限定されることなく、サービス利用者の任意の位置において当該サービスを利用することができる。
【００１４】
また、本発明の携帯通信端末は、電子バリューの本決済を行う決済サーバと、通信を行う第２携帯通信端末通信手段を備え、前記第１携帯通信端末通信手段は、前記仮課金指示に含まれる対価情報が反映された電子バリューに関する電子バリュー情報を、前記ＩＣチップから受信し、前記第２携帯通信端末通信手段は、前記第１携帯通信端末通信手段により受信した電子バリュー情報に基づいて本決済するよう指示する本決済指示を、前記決済サーバに送信するものを含む。
【００１５】
また、本発明のＩＣチップは、前記第１のＩＣチップ通信手段が、前記仮課金電子バリュー情報記憶手段に記憶した電子バリューに関する電子バリュー情報を、電子バリューの本決済を行う決済サーバに接続された携帯通信端末に送信するものを含む
【００１６】
また、本発明のＩＣチップは、電子バリューの本決済を行う決済サーバに接続された、当該ＩＣチップに記憶したデータを読み取るＩＣチップ用リーダと、通信を行う第２のＩＣチップ通信手段を備え、前記第２のＩＣチップ通信手段は、前記仮課金電子バリュー情報記憶手段に記憶した電子バリューに基づいて本決済するよう指示する本決済指示を、前記ＩＣチップ用リーダに送信するものを含む。
【００１７】
また、本発明の電子マネー決済システムは、本発明のの携帯通信端末と、本発明のＩＣチップと、から構成されるものを含む。
【００１８】
この構成によれば、携帯通信端末により利用したサービスに対して支払うべき費用を一時的に仮課金状態として精算し、その後、携帯通信端末と決済サーバとの通信時に、仮課金状態にある電子バリューを正式に精算することができる。
【００１９】
また、本発明の携帯通信端末は、前記携帯通信端末により利用可能なサービスが、少なくとも、コンテンツサービスを含むものであるものを含む。
【００２０】
この構成によれば、携帯通信端末を利用して提供されているサービスに対しても、そのサービスに対する対価を課金することができるため，本システムの利用範囲を拡大することができる。
【発明の効果】
【００２１】
本発明の電子マネー決済システム、そのシステムに用いる携帯通信端末、および、そのシステムに用いる非接触ＩＣカードによれば、非接触ＩＣカードを利用したサービスを提供するシステムにおいて、当該サービスを利用することができる場所がリーダ／ライタが存在する場所に限定されることなく、サービス利用者の任意の位置において当該サービスを利用することができる。
【発明を実施するための最良の形態】
【００２２】
（第１実施形態）
以下、本発明の第１実施形態の電子マネー決済システムについて、図面を用いて説明する。
【００２３】
図１に、本発明の第１実施形態の電子マネー決済システムの構成図を示す。本発明の第１実施形態の電子マネー決済システムは、非接触ＩＣチップ２を搭載した携帯電話１、携帯電話１とのデータ通信を行い、各種サービス利用時に支払うべき金額の電子決済を行う決済サーバ３、を含んで構成される。第１実施形態では、携帯通信端末の一例として携帯電話を用いているが、これに限るものでなく、通信機能を有する種々の携帯端末にも適用することができる。
【００２４】
携帯電話１は、携帯電話操作部１１、携帯電話表示部１２、携帯電話無線部１３、携帯電話記憶部１４、携帯電話通信部１５、携帯電話制御部１６、非接触ＩＣチップ２、とを含んで構成される。携帯電話操作部１１は、携帯電話利用者からの入力操作を受け付ける。携帯電話表示部１２は、各種情報を表示する。携帯電話無線部１３は、携帯電話通信用の基地局（図示せず）と無線通信を行い、その基地局を介して決済サーバ３と通信を行う。携帯電話記憶部１４は、各種データを記憶する。携帯電話通信部１５は、非接触ＩＣチップ２とデータ通信を行う。携帯電話制御部１６は、上記の各部を制御する。また、携帯電話１は、近距離にある非接触ＩＣチップ用リーダ／ライタ（図示せず）と無線による通信を行う非接触ＩＣチップ２を搭載している。なお、携帯電話１は、近年の携帯電話が備える各種機能部を備えるようにしても構わない。
【００２５】
携帯電話通信部１５は、携帯電話制御部１６から入力する制御信号に従って、非接触ＩＣチップ２とデータ通信を行う。
【００２６】
携帯電話制御部１６は、携帯電話１により利用可能なサービスを利用した際、そのサービスに対する対価に関する情報（支払うべき金額や消費するポイント）と仮課金指示信号を非接触ＩＣチップ２に送信するよう携帯電話通信部１５を制御する。携帯電話１により利用可能なサービスとしては、例えば、ある映像または音楽をダウンロードして携帯電話記憶部１４に保存した後、携帯電話１によりその映像または音楽を視聴する毎に課金が発生するサービスが挙げられる。非接触ＩＣチップ２による仮課金については、後述する。
【００２７】
従来の非接触ＩＣチップを利用したシステムでは、非接触ＩＣカードは、当該システムが提供するサービスを利用した場合に、そのサービスに対する対価を精算する機能しかもっておらず、上記の例のように、サービスそのものを実現する構成ではない。このため、従来のシステムでは、課金対象とすることができるサービスが限られてしまう。本発明の第１実施形態の電子マネー決済システムでは、携帯電話１により利用可能なサービスを利用した際、携帯電話制御部１６により、そのサービスに対する対価に関する情報を非接触ＩＣチップ２に送信するよう携帯電話通信部１５を制御する構成とすることにより、携帯電話１により提供することができる様々なサービスに対しても課金対象とすることができ、サービスの幅を広げることができる。
【００２８】
また、携帯電話制御部１６は、携帯電話無線部１３により決済サーバ３と通信を行う際、決済サーバ３による決済の済んでいない電子バリューが非接触ＩＣチップ２にある場合（仮課金状態のままである電子バリューがある場合）、本決済依頼通知を決済サーバ３に送信し、本決済処理を開始する。携帯電話制御部１６は、非接触ＩＣチップ２に本決済指示信号を送信して過去の仮課金状況を読み出し、決済サーバ３に送信する。その後、仮課金分の電子バリューが決済サーバ３により決済されたことを示す本決済完了通知を受信して、その決済完了通知を非接触ＩＣチップ２に送信して本決済を終了する。非接触ＩＣチップ２による本決済については、後述する。
【００２９】
非接触ＩＣチップ２は、ＩＣが内蔵されたチップを指し、ＩＣ通信部２１、ＩＣ無線部２２、ＩＣ記憶部２３、ＩＣ制御部２４、を含んで構成される。非接触ＩＣチップ２は、ＩＣ無線部２２に含まれるアンテナ（図示せず）を介して、非接触ＩＣチップ２への電力供給、および、非接触ＩＣチップ用リーダ／ライタとのデータ通信が行われる。用途によって「ＲＦ−ＩＤ（Radio Frequency Identification）」や「ＲＦタグ」と呼ばれることもあるが、基本的には同じものを指す。
【００３０】
ＩＣ通信部２１は、ＩＣ制御部２４から入力する制御信号に従って、非接触ＩＣチップ２とデータ通信を行う。
【００３１】
ＩＣ無線部２２は、ＩＣ無線部２２に含まれるアンテナ（図示せず）を介して、非接触ＩＣチップ２への電力供給、および、非接触ＩＣチップ用リーダ／ライタとのデータ通信が行われる。
【００３２】
ＩＣ記憶部２３は、非接触ＩＣチップ２毎に割り当てられた識別ＩＤ、携帯電話１を利用したサービスまたは非接触ＩＣチップ２を利用したサービスに対して支払うことが可能な電子バリューの残高、および、携帯電話１により利用済みのサービスに対して支払う必要のある、決済サーバによる決済が済んでいない電子バリューの総額、を少なくとも記憶している。
【００３３】
ＩＣ記憶部２３は、さらに、電子バリュー記憶部２３１、仮課金バリュー記憶部２３２、を含んで構成される。電子バリュー記憶部２３１は、携帯電話１を利用したサービスまたは非接触ＩＣチップ２を利用したサービスに対して支払うことが可能な電子バリューの残高を記憶している。仮課金バリュー記憶部２３２は、携帯電話１により利用済みのサービスに対して支払う必要のある、決済サーバによる決済が済んでいない電子バリューを記憶している。
【００３４】
ＩＣ制御部２４は、ＩＣ記憶部２３にデータを書き込みあるいはデータを読み出し、また、ＩＣ無線部２２による非接触ＩＣチップ用リーダ／ライタとの無線通信を制御してデータを送受信し、さらに、ＩＣ記憶部２３またはＩＣ無線部２２から入力するデータのデータ処理を行う。また、ＩＣ制御部２４は、ＩＣ通信部２１を介して、携帯電話通信部１５とデータ通信できるように接続されており、携帯電話制御部１６からデータ書き込み指示を受けてＩＣ記憶部２３へデータを書き込んだり、あるいは、携帯電話制御部１６からデータ読み出し指示を受けてＩＣ記憶部２３から読み出したデータを携帯電話制御部１６に出力したりすることができる。
【００３５】
以下、ＩＣ制御部２４が携帯電話制御部１６から仮課金指示信号を受信する前後、および、本決済指示信号を受信する前後に電子バリュー記憶部２３１、仮課金バリュー２３２に記憶される電子バリューの一例を示す。図２に、本発明の第１実施形態の電子マネー決済システムにおける、非接触ＩＣチップが保持する電子バリューの一例を示す。図２（ａ）は、携帯電話制御部１６からの仮課金指示前の電子バリューの例であり、図２（ｂ）は、携帯電話制御部１６からの仮課金指示後および本決済指示前の電子バリューの例であり、図２（ｃ）は、携帯電話制御部１６からの本決済指示後の電子バリューの例である。
【００３６】
携帯電話制御部１６から仮課金指示信号を受信する前において、電子バリュー記憶部２３１は、図２（ａ）に示すように、１１０００円分の電子バリューを保持しているものとし、仮課金記憶部２３２は、電子バリューを記憶していない（０円分の電子バリューを記憶している）ものとする。
【００３７】
ＩＣ制御部２４は、携帯電話制御部１６から仮課金指示信号を受信すると、仮課金指示信号と共に受信した電子バリュー分（図２（ｂ）では１０００円分）を仮課金指示前の電子バリュー記憶部２３１に記憶された電子バリューから差し引いたものを電子バリュー記憶部２３１に書き込み、さらに、仮課金指示信号と共に受信した電子バリュー分を仮課金指示前の仮課金バリュー記憶部２３２に記憶された電子バリューに加えたものを仮課金バリュー記憶部２３１に書き込む。サービスＩＣ制御部２４は、仮課金指示信号と共に携帯電話１が利用したサービスに関する情報を受信して、サービス毎に仮課金バリュー記憶部２３２の仮課金ファイル１、２、３…に電子バリューを書き込むようにしても良い。サービスＩＣ制御部２４は、携帯電話制御部１６から本決済指示信号を受信するまで、上述の処理を繰り返し、仮課金処理を終える度に仮課金完了通知を携帯電話１に送信するようＩＣ通信部２１を制御する。
【００３８】
ＩＣ制御部２４は、仮課金指示信号と共に受信した電子バリュー分が仮課金指示前の電子バリュー記憶部２３１に記憶された電子バリューよりも大きい場合、この仮課金指示を受け付けることができないことをＩＣ通信部２１に通知する。これにより、後で決済サーバ３による本決済を行うときに、残金が足りなくなったりすることはなくなる。
【００３９】
ＩＣ制御部２４は、携帯電話制御部１６から本決済指示信号を受信すると、仮課金バリュー記憶部２３２に記憶された電子バリューを読み出し、携帯電話制御部１６に送信する。ＩＣ制御部２４は、電子バリューが書き込まれた仮課金ファイルが複数ある場合には、仮課金ファイルに割り当てられたサービスに関する情報と、その仮課金ファイルに書き込まれた電子バリューと、を携帯電話制御部１６に送信する。その後、ＩＣ制御部２４は、仮課金分の電子バリューが決済サーバ３により決済されたことを示す本決済完了通知を携帯電話制御部１６から受信すると、図２（ｃ）に示すように、仮課金バリュー記憶部２３２に記憶された電子バリューを０にする。
【００４０】
以上のようにして、ＩＣ制御部２４は、携帯電話制御部１６から受信する仮課金指示、および、本決済指示に応じて、電子バリュー記憶部２３１、仮課金バリュー２３２に電子バリューを書き込む。なお、電子バリュー記憶部２３１、仮課金バリュー２３２に電子バリューを書き込む制御方式としては、例えば、電子バリューそのものを送受信してその電子バリューの書き込みを行う証書型や、電子バリューそのものの送受信は行わず、電子バリュー減算、加算命令に応じて電子バリューの金額を書き換えるカウンタ型、などが挙げられる。
【００４１】
決済サーバ３は、上記の背景技術で述べた決済サーバと基本的には同様の構成である。決済サーバ３は、サーバ制御部３１、サーバ通信部３２、サーバ記憶部３３、を含んで構成される。サーバ通信部３２は、携帯電話通信用の基地局と通信を行い、その基地局を介して携帯電話１と通信を行う。サーバ記憶部３３は、電子決済を行うことが可能な非接触ＩＣチップ４の識別ＩＤ情報を記憶する。サーバ制御部３１は、サーバ記憶部３３に記憶されたデータを書き込みあるいはデータを読み出し、また、サーバ通信部３２を制御してデータを送受信し、さらに、サーバ通信部３２、サーバ記憶部３３から入力するデータのデータ処理を行う。
【００４２】
サーバ制御部３１は、サーバ通信部３２により携帯電話１と通信を行う際、本決済依頼通知を受信したことをサーバ通信部３２により通知されると、本決済処理を開始する。すなわち、サーバ制御部３１は、携帯電話１から過去の課金状況を受信すると、過去の課金状況と併せて受信する非接触ＩＣチップ２の識別ＩＤに該当するものがサーバ記憶部３３にある場合、当該識別ＩＤを割り当てられた人物が保有する預金口座の残高を確認し、預金残高が過去の課金状況の総額よりも大きいことを確認すると、その人物が予め指定した支払方法に応じて、過去の課金状況の総額の請求処理を行う。その後、サーバ制御部３１は、仮課金分の電子バリューを決済したことを示す本決済完了通知をサーバ通信部３２に送信させる。
【００４３】
次に、本発明の第１実施形態の電子マネー決済システムによる仮課金処理の流れを、図３のフローチャートを参照して説明する。図３では、携帯電話１が、非接触ＩＣチップ２に対して仮課金処理を行うものである。
【００４４】
携帯電話制御部１６は、携帯電話１により利用可能なサービスを利用したことを検知すると、そのサービスに対する対価に関する情報と仮課金指示信号を非接触ＩＣチップ２に送信するよう携帯電話通信部１５を制御する（Ｓ１０）。
【００４５】
ＩＣ制御部２４は、サービスに対する対価に関する情報と仮課金指示信号を携帯電話１から受信したことをＩＣ通信部２１により通知されると（Ｓ２０、ＹＥＳ）、例えば、図２（ｂ）について説明したような仮課金処理を実行する（Ｓ２１）。ＩＣ制御部２４は、仮課金処理を終えると、仮課金完了通知を携帯電話１に送信するようＩＣ通信部２１を制御する（Ｓ２２）。
【００４６】
携帯電話制御部１６は、非接触ＩＣチップ２から仮課金完了通知を受信したことを携帯電話通信部１５により通知されると（Ｓ１１、ＹＥＳ）、仮課金処理が終了となる。
【００４７】
続いて、本発明の第１実施形態の電子マネー決済システムによる本決済処理の流れを、図４のフローチャートを参照して説明する。図４では、携帯電話１が、決済サーバ３との通信時に、仮課金状態の電子バリューがあることを決済サーバ３に通知して、本決済処理を行うものである。
【００４８】
携帯電話制御部１６は、仮課金完了通知を携帯電話通信部１５により受信後、携帯電話無線部１３により決済サーバ３と通信を開始した際、仮課金完了通知の有無から決済サーバ３による決済の済んでいない電子バリューがあるか否かを判定し（Ｓ１２）、仮課金完了通知がある場合（Ｓ１２、ＹＥＳ）、決済サーバ３に本決済依頼信号を送信し（Ｓ１３）、一方、非接触ＩＣチップ２に本決済指示信号を送信する（Ｓ１４）。
【００４９】
ＩＣ制御部２４は、携帯電話２から本決済指示を受信したことをＩＣ通信部２１により通知されると（Ｓ２３、ＹＥＳ）、仮課金バリュー記憶部２３２に記憶された電子バリューを読み出し、携帯電話制御部１６に送信する（Ｓ２４）。
【００５０】
サーバ制御部３１は、携帯電話２から本決済依頼信号を受信したことをサーバ通信部３２により通知されると（Ｓ３０）、仮課金された電子バリューが携帯電話１から送信されることを待つ待機状態となる。
【００５１】
携帯電話制御部１６は、非接触ＩＣチップ２から過去に仮課金された電子バリューを受信したことをＩＣ通信部２１により通知されると（Ｓ１５、ＹＥＳ）、その電子バリューを決済サーバ３に送信するよう携帯電話無線部１３を制御する（Ｓ１６）。
【００５２】
サーバ制御部３１は、携帯電話１から過去に仮課金された電子バリューを受信したことをサーバ通信部３２により通知されると（Ｓ３１、ＹＥＳ）、電子バリューの決済処理を実行する（Ｓ３２）。その後、サーバ制御部３１は、仮課金分の電子バリューを決済したことを示す本決済完了通知を携帯電話１に送信するようサーバ通信部３２を制御する（Ｓ３３）。
【００５３】
携帯電話制御部１６は、決済サーバ３から本決済完了通知を受信したことを携帯電話無線部１３により通知されると（Ｓ１７）、その本決済完了通知を非接触ＩＣチップ２に送信して本決済を終了する（Ｓ１８）。
【００５４】
ＩＣ制御部２４は、本決済完了通知を携帯電話制御部１６から受信したことをＩＣ通信部２１により通知されると（Ｓ２５）、図２（ｃ）について説明したような本決済処理を実行する（Ｓ２６）。
【００５５】
本発明の第１実施形態の電子マネー決済システムによれば、携帯電話１により利用したサービスにかかった費用を一時的に仮課金状態として精算し、その後、携帯電話１と決済サーバ３との通信時に、仮課金状態にある電子バリューを正式に精算することにより、サービスを利用することができる場所がリーダ／ライタが存在する場所に限定されることなく、サービス利用者の任意の位置において当該サービスを利用することができる。
【００５６】
更に、仮課金状態として精算する際、電子バリュー記憶部２３１の電子バリュー残高から課金分のバリューが減少し、その分は仮課金バリュー記憶部２３２に保存されて使用不可となるので、電子バリュー記憶部２３１に記憶されている電子バリュー残高以上の電子バリューが仮課金時に精算されることがなく、その結果、決済サーバ３により決済時に残金が足りなくなったりすることはなくなり、コンテンツ提供側でもサービスに対する対価を確実に確保することができる。
【００５７】
（第２実施形態）
以下、本発明の第２実施形態の電子マネー決済システムについて説明する。本発明の第２実施形態の電子マネー決済システムの構成は、第１実施形態の電子マネー決済システムの構成と同一である。第１実施形態では、仮課金処理後、携帯電話１が決済サーバに本決済依頼通知を送信して本決済処理を開始するようにしたが、第２実施形態では、課金バリュー記憶部２３２に決済を行う必要のある電子バリューが記憶されているか否かを確認するよう指示する確認指示信号を決済サーバ３が携帯電話１に送信し、課金バリュー記憶部２３２に決済を行う必要のある電子バリューが記憶されている場合に本決済処理を開始する。以下、図５に示す、本発明の第２実施形態の電子マネー決済システムによる本決済処理のフローチャートを参照して説明する。図４のフローチャートと共通のステップ番号を割り当てた処理は、第１実施形態の本決済処理と同様であるため、説明を省略する。
【００５８】
サーバ制御部３１は、サーバ通信部３２により携帯電話１と通信を行う際、課金バリュー記憶部２３２に決済を行う必要のある電子バリューが記憶されているか否かを確認するよう指示する確認指示信号をサーバ通信部３２により携帯電話１に送信する（Ｓ３４）。
【００５９】
携帯電話制御部１６は、決済サーバ３から確認指示信号を受信したことを携帯電話無線部１３により通知されると（Ｓ１９、ＹＥＳ）、仮課金完了通知の有無から決済サーバ３による決済の済んでいない電子バリューがあるか否かを判定し（Ｓ１２）、仮課金完了通知がある場合（Ｓ１２、ＹＥＳ）、決済サーバ３に本決済依頼信号を送信し（Ｓ１３）、一方、非接触ＩＣチップ２に本決済指示信号を送信する（Ｓ１４）。以下、第１実施形態の本決済処理と同様である。
【００６０】
本発明の第２実施形態の電子マネー決済システムによれば、本発明の第１実施形態の電子マネー決済システムと同様の効果を得られると共に、決済サーバからのプッシュによっても、本決済処理を開始することができる。
【００６１】
（第３実施形態）
以下、本発明の第３実施形態の電子マネー決済システムについて説明する。第１実施形態および第２実施形態の電子マネー決済システムでは、本決済処理時、携帯電話１の無線通信機能を利用して（携帯電話無線部１３の機能に相当）決済サーバ３と通信を行い、非接触ＩＣチップ２が保持する仮課金状態の電子バリューを決済サーバに送信して、決済サーバ３により決済するようにしたが、第３実施形態の電子マネー決済システムでは、決済サーバ３と通信状態にあるリーダ／ライタにより、非接触ＩＣチップ２が保持する仮課金状態の電子バリューを読み出して決済サーバ３に送信し、決済サーバ３により決済する。
【００６２】
図６に、本発明の第３実施形態の電子マネー決済システムの構成図を示す。本発明の第１実施形態の電子マネー決済システムは、非接触ＩＣチップ２のＩＣ無線部２２と無線通信を行い、ＩＣ記憶部が記憶するデータの読み出し、書き込みを行うリーダ／ライタ４が図１の構成に追加されている。図６において、図１の符号番号と同じものが割り当てられた各部についての説明は、第１実施形態および第２実施形態においてなされているため、リーダ／ライタ４を追加したために処理内容が変更になった部を除いて、説明を省略する。また、本発明の第３実施形態の電子マネー決済システムにおける仮課金処理の処理は、第１実施形態および第２実施形態と同様であり、説明を省略する。
【００６３】
リーダ／ライタ４は、非接触ＩＣチップ２の仮課金バリュー記憶部２３２のデータを読み出して、決済サーバ３による決済の済んでいない電子バリューが非接触ＩＣチップ２にあると判定した場合（図２の例では、０以外の電子バリューを仮課金バリュー記憶部２３２が記憶している場合）、本決済依頼通知を決済サーバ３に送信し、本決済処理を開始する。リーダ／ライタ４は、仮課金バリュー記憶部２３２から読み出した過去の仮課金状況を決済サーバ３に送信し、その後、仮課金分の電子バリューが決済サーバ３により決済されたことを示す本決済完了通知を決済サーバ３から受信すると、仮課金バリュー記憶部２３２の電子バリューを０に上書きして本決済を終了する。
【００６４】
ＩＣ制御部２４は、仮課金分の電子バリューが決済サーバ３により決済されたことを示す本決済完了通知をリーダ／ライタ４から受信すると、図２（ｃ）に示すように、仮課金バリュー記憶部２３２に記憶された電子バリューを０にする。
【００６５】
サーバ制御部３１は、リーダ／ライタ４から本決済依頼通知を受信したことをサーバ通信部３２により通知されると、本決済処理を開始する。本決済処理終了後、サーバ制御部３１は、仮課金分の電子バリューを決済したことを示す本決済完了通知をリーダ／ライタ４に送信するようサーバ通信部３２を制御する。
【００６６】
次に、本発明の第３実施形態の電子マネー決済システムによる本決済処理の流れを、図７のフローチャートを参照して説明する。図７では、リーダ／ライタ４が、仮課金状態の電子バリューがあることを決済サーバ３に通知して、本決済処理を行うものである。
【００６７】
リーダ／ライタ４は、非接触ＩＣチップ２の仮課金バリュー記憶部２３２のデータを読み出して（Ｓ４０）、決済サーバ３による決済の済んでいない電子バリューが非接触ＩＣチップ２にあるか否かを判定し（Ｓ４１）、決済の済んでいない電子バリューが非接触ＩＣチップ２にある場合（Ｓ４１、ＹＥＳ）、決済サーバ３に本決済依頼信号を送信する（Ｓ４２）。
【００６８】
サーバ制御部３１は、リーダ／ライタ４から本決済依頼信号を受信したことをサーバ通信部３２により通知されると（Ｓ３０、ＹＥＳ）、仮課金された電子バリューがリーダ／ライタ４から送信されることを待つ待機状態となる。
【００６９】
リーダ／ライタ４は、仮課金バリュー記憶部２３２から読み出した電子バリューを決済サーバ３に送信する（Ｓ４３）。
【００７０】
サーバ制御部３１は、リーダ／ライタ４から過去に仮課金された電子バリューを受信したことをサーバ通信部３２により通知されると（Ｓ３１、ＹＥＳ）、電子バリューの決済処理を実行する（Ｓ３２）。その後、サーバ制御部３１は、仮課金分の電子バリューを決済したことを示す本決済完了通知をリーダ／ライタ４に送信するようサーバ通信部３２を制御する（Ｓ３３）。
【００７１】
リーダ／ライタ４は、決済サーバ３から本決済完了通知を受信すると（Ｓ４４）、仮課金バリュー記憶部２３２の電子バリューを０に上書きして本決済を終了する（Ｓ４５）。
【００７２】
本発明の第３実施形態の電子マネー決済システムによれば、非接触ＩＣチップ用のリーダ／ライタを用いたシステムであっても、本決済処理を実行することができる。
【００７３】
以上、本発明の第１実施形態、第２実施形態の電子マネー決済システムによれば、携帯電話１により利用したサービスにかかった費用を一時的に仮課金状態として精算し、その後、携帯電話１と決済サーバ３との通信時に、仮課金状態にある電子バリューを正式に精算することにより、サービスを利用することができる場所がリーダ／ライタが存在する場所に限定されることなく、サービス利用者の任意の位置において当該サービスを利用することができる。
【００７４】
また、本発明の第３実施形態の電子マネー決済システムによれば、従来のようにリーダ／ライタ４をした構成のシステムであっても、携帯電話１により利用したサービスにかかった費用を一時的に仮課金状態として精算し、その後、決済サーバ３と通信状態にあるリーダ／ライタ４により、仮課金状態にある電子バリューを正式に精算することもできる。
【００７５】
更に、仮課金状態として精算する際、電子バリュー記憶部２３１の電子バリュー残高から課金分のバリューが減少し、その分は仮課金バリュー記憶部２３２に保存されて使用不可となるので、電子バリュー記憶部２３１に記憶されている電子バリュー残高以上の電子バリューが仮課金時に精算されることがなく、その結果、決済サーバ３により決済時に残金が足りなくなったりすることはなくなり、コンテンツ提供側でもサービスに対する対価を確実に確保することができる。
【産業上の利用可能性】
【００７６】
本発明の電子マネー決済システム、そのシステムに用いる携帯通信端末、および、そのシステムに用いる非接触ＩＣカードによれば、非接触ＩＣカードを利用したサービスを提供するシステムにおいて、当該サービスを利用することができる場所がリーダ／ライタが存在する場所に限定されることなく、サービス利用者の任意の位置において当該サービスを利用することができるという効果を奏し、携帯通信端末により電子マネーの決済を行う電子マネー決済システムの分野において有用である。
【図面の簡単な説明】
【００７７】
【図１】本発明の第１実施形態の電子マネー決済システムの構成図
【図２】本発明の第１実施形態の電子マネー決済システムにおける、非接触ＩＣチップが保持する電子バリューの一例。図２（ａ）は携帯電話制御部１６からの仮課金指示前の電子バリューの例、図２（ｂ）は携帯電話制御部１６からの仮課金指示後および本決済指示前の電子バリューの例、図２（ｃ）は携帯電話制御部１６からの本決済指示後の電子バリューの例。
【図３】本発明の第１実施形態の電子マネー決済システムによる仮課金処理のフローチャート
【図４】本発明の第１実施形態の電子マネー決済システムによる本決済処理のフローチャート
【図５】本発明の第２実施形態の電子マネー決済システムによる本決済処理のフローチャート
【図６】本発明の第３実施形態の電子マネー決済システムの構成図
【図７】本発明の第３実施形態の電子マネー決済システムによる本決済処理のフローチャート
【符号の説明】
【００７８】
１  携帯電話
１１  携帯電話操作部
１２  携帯電話表示部
１３  携帯電話無線部
１４  携帯電話記憶部
１５  携帯電話通信部
１６  携帯電話制御部
２  非接触ＩＣチップ
２１  ＩＣ通信部
２２  ＩＣ無線部
２３  ＩＣ記憶部
２３１  電子バリュー記憶部２
２３２  仮課金バリュー記憶部
２４  ＩＣ制御部
３  決済サーバ
３１  サーバ制御部
３２  サーバ通信部
３３  サーバ記憶部
４  リーダ／ライタ
【図１】
2006260196.tif 000003
【図２】
2006260196.tif 000004
【図３】
2006260196.tif 000005
【図４】
2006260196.tif 000006
【図５】
2006260196.tif 000007
【図６】
2006260196.tif 000008
【図７】
2006260196.tif 000009